【手続補正書】
【提出日】平成30年2月1日(2018.2.1)
【手続補正１】
【補正対象書類名】特許請求の範囲
【補正対象項目名】全文
【補正方法】変更
【補正の内容】
【特許請求の範囲】
【請求項１】
光合成生物の少なくとも１つの特徴を制御するための光照射システムであって、該光照射システムは標的領域に光を当てるように構成され、該光照射システムは、
ａ）標的領域上に位置付けられる、光をもたらす少なくとも１つの発光体；
ｂ）少なくとも１つの発光体により発せられた光の少なくとも１つの特徴を制御するための手段；
ｃ）少なくとも１つの発光体と標的領域の相対位置を変えるよう構成されたコンベヤ；及び
ｄ）予め定義された照射量レジームが保存される媒体を読み取るよう構成された照明制御装置
を含み、
照明制御装置は、予め定義された照射量レジームに従い、少なくとも１つの発光体により標的領域に発せられた光の少なくとも１つの特徴を変えるように構成され、及び
少なくとも１つの発光体は、２８０−３２０ｎｍのＵＶ−Ｂ範囲にある波長を持つスペクトルコンテンツを生成する
ことを特徴とする光照射システム。
【請求項２】
少なくとも１つの発光体は１つのアレイにある、ことを特徴とする請求項１に記載の光照射システム。
【請求項３】
少なくとも１つの発光体により発せられた光の少なくとも１つの特徴を制御するための少なくとも１つのフィルタを含む、請求項１又は２に記載の光照射システム。
【請求項４】
少なくとも１つの発光体により標的領域に発せられた光は、実質的に３２０ｎｍ−４００ｎｍのＵＶ−Ａ範囲にある波長を持つスペクトルコンテンツを有する、ことを特徴とする請求項１乃至３の何れか１つに記載の光照射システム。
【請求項５】
少なくとも１つの発光体により標的領域に発せられた光は、実質的に６２２ｎｍ−７８０ｎｍ（赤色）の範囲にある波長を持つスペクトルコンテンツを有する、ことを特徴とする請求項１乃至４の何れか１つに記載の光照射システム。
【請求項６】
少なくとも１つの発光体により標的領域に発せられた光は、実質的に４５５ｎｍ−４９２ｎｍ（青色）の範囲にある波長を持つスペクトルコンテンツを有する、ことを特徴とする請求項１乃至５の何れか１つに記載の光照射システム。
【請求項７】
予め定義された照射量レジームに従い、照明制御装置は、
光の強度；
光照射システムにより発せられた光のスペクトルコンテンツ；
光照射システムにより発せられた光の方向性；
光の少なくとも１つの波長が発せられる時間；及び／又は
光が発せられる持続時間
の少なくとも１つを制御する、ことを特徴とする請求項１乃至６の何れか１つに記載の光照射システム。
【請求項８】
照明制御装置は、少なくとも１つの発光体及び標的領域の相対位置が変えられる速度を制御する、ことを特徴とする請求項１乃至７の何れか１つに記載の光照射システム。
【請求項９】
コンベヤは、標的領域の上に少なくとも１つの発光体を調節自在に位置付けるように構成される、ことを特徴とする請求項１乃至８の何れか１つに記載の光照射システム。
【請求項１０】
コンベヤは、少なくとも１つの発光体と標的領域との間の間隔を調節するように構成される、ことを特徴とする請求項１乃至９の何れか１つに記載の光照射システム。
【請求項１１】
光照射システムは、周囲光と組み合わせて２８０ｎｍ−３２０ｎｍの間のＵＶ−Ｂの波長を投光するように構成される、ことを特徴とする請求項１乃至１０の何れか１つに記載の光照射システム。
【請求項１２】
光照射システムは、標的領域に、又はその付近に位置付けられる光センサを備える、ことを特徴とする請求項１乃至１１の何れか１つに記載の光照射システム。
【請求項１３】
光センサは照明制御装置にフィードバックをもたらし、照明制御装置は、光センサからのフィードバックに基づいて少なくとも１つの発光体により標的領域に発せられた光の少なくとも１つの特徴を変える、ことを特徴とする請求項１１に記載の光照射システム。
【請求項１４】
光合成生物の少なくとも１つの特徴を制御するための光照射システムを制御する方法であって、該光照射システムは：
光を生成するための少なくとも１つの発光体であって、少なくとも１つの発光体は、実質的に２８０−３２０ｎｍのＵＶ−Ｂ範囲にある波長を持つスペクトルコンテンツを生成する、１以上の発光体；
少なくとも１つの発光体により標的領域に発せられた光の少なくとも１つの特徴を制御するための手段；
少なくとも１つの発光体と標的領域の相対位置を変えるよう構成されたコンベヤ；及び
照明制御装置
を含み、該照明制御装置は
予め定義された照射量レジームを保存した媒体を読み取り、及び
予め定義された照射量レジームに従って少なくとも１つの発光体により発せられた光の少なくとも１つの特徴を制御する
ように構成され、
前記方法は：
ａ）光の強度、発せられた光のスペクトルコンテンツ、発せられた光の方向性、標的領域にわたる少なくとも１つの発光体の位置、標的領域上の少なくとも１つの発光体の高さ、及び発せられた光の持続時間の少なくとも１つを制御する工程
ｂ）コンベヤにより少なくとも１つの発光体を搬送する工程、
ｃ）照明制御装置にフィードバックを提供するために光センサを使用する工程、及び
ｄ）光センサからのフィードバックに基づいて、光の強度、発せられた光のスペクトルコンテンツ、発せられた光の方向性、標的領域にわたる少なくとも１つの発光体の位置、標的領域上の少なくとも１つの発光体の高さ、及び発せられた光の持続時間の少なくとも１つを調整する工程であって、発せられた光のスペクトルコンテンツは２８０−３２０ｎｍのＵＶ−Ｂ範囲にある波長を含む、工程
を含む、ことを特徴とする方法。
【請求項１５】
光合成生物の少なくとも１つの特徴を制御するための光照射システムを使用して植物の特徴を制御する方法であって、該光照射システムは：
光源を生成するための少なくとも１つの発光体であって、少なくとも１つの発光体は、実質的に２８０−３２０ｎｍのＵＶ−Ｂ範囲にある波長を持つスペクトルコンテンツを生成する、少なくとも１つの発光体；
少なくとも１つの発光体により標的領域に発せられた光の少なくとも１つの特徴を制御するための手段；
少なくとも１つの発光体と標的領域の相対位置を変えるよう構成されたコンベヤ；及び
照明制御装置
を含み、該照明制御装置は
予め定義された照射量レジームを保存した媒体を読み取り、及び
予め定義された照射量レジームに従って少なくとも１つの発光体により発せられた光の少なくとも１つの特徴を制御する
ように構成され、
前記方法は：
ａ）標的領域に少なくとも１つの植物を位置付ける工程；
ｂ）光の強度、発せられた光のスペクトルコンテンツ、発せられた光の方向性、標的領域にわたる少なくとも１つの発光体の位置、標的領域上の少なくとも１つの発光体の高さ、及び標的領域における植物に発せられた光の持続時間の少なくとも１つを制御する工程；
ｃ）照明制御装置にフィードバックを提供するために光センサを使用する工程；及び
ｄ）光センサからのフィードバックに基づいて、光の強度、発せられた光のスペクトルコンテンツ、発せられた光の方向性、標的領域にわたる少なくとも１つの発光体の位置、標的領域上の少なくとも１つの発光体の高さ、及び発せられた光の持続時間の少なくとも１つを調整する工程であって、発せられた光のスペクトルコンテンツは２８０−３２０ｎｍのＵＶ−Ｂ範囲にある波長を含む、工程
を含む、ことを特徴とする方法。
【請求項１６】
光の量の波長、強度、及び持続時間の少なくとも１つは、再現自在に管理される、ことを特徴とする請求項１に記載の光照射システム。
【請求項１７】
発光体と標的領域の相対位置は、標的領域に平行な単一の軸に沿って変動する、ことを特徴とする請求項１に記載の光照射システム。
【請求項１８】
発光体と標的領域の相対位置は、標的領域に平行な面に沿って変動する、ことを特徴とする請求項１に記載の光照射システム。
【請求項１９】
発光体と標的領域の相対位置は、標的領域に対する３つの空間次元において変動する、ことを特徴とする請求項１に記載の光照射システム。
【請求項２０】
コンベヤは、標的領域に平行な面に沿って発光体と標的領域の相対位置を変更する、ことを特徴とする請求項１４又は１５に記載の方法。
【請求項２１】
コンベヤは、標的領域に対する３つの空間次元において発光体と標的領域の相対位置を変更する、ことを特徴とする請求項１４又は１５に記載の方法。